(57)【要約】【課題】サッカーの試合を撮影した映像から、プレーの切れ目を抽出する。【解決手段】検出部２２が、スポーツの試合を撮像して得られた撮像画像から、近景撮像画像と遠景撮像画像との間の切り替わりを検出する。抽出部２４が、検出された切り替わりに基づいて、スポーツの試合のプレーの切れ目に対応するタイミングまたは切れ目に対応する撮像画像を抽出する。【選択図】図１
2015177471.tif 000002
【特許請求の範囲】
【請求項１】
コンピュータに、
スポーツの試合を撮像して得られた撮像画像から、近景撮像画像と遠景撮像画像との間の切り替わりを検出し、
検出された前記切り替わりに基づいて、前記スポーツの試合のプレーの切れ目に対応するタイミングまたは切れ目に対応する撮像画像を抽出する、
ことを含む処理を実行させる抽出プログラム。
【請求項２】
前記コンピュータに、
前記近景撮像画像から、前記遠景撮像画像への切り替わりを検出し、
切り替わりが検出された前記遠景撮像画像を、前記スポーツの試合におけるプレーの始まりを示すフレームとして抽出する
ことを含む処理を実行させる請求項１記載の抽出プログラム。
【請求項３】
前記コンピュータに、
前記撮像画像に含まれる複数のフレームにおける連続するフレーム間の画素情報の差分の変化量が、予め定めた閾値以上となるフレームを、カットの切り替わりとして検出し、カットの切り替わりの前または後のフレームが近景撮像画像か、または遠景撮像画像かを識別することにより、近景撮像画像と遠景撮像画像との切り替わりを検出する
ことを含む処理を実行させる請求項１または請求項２記載の抽出プログラム。
【請求項４】
コンピュータに、
スポーツの試合を撮像して得られた撮像画像から、近景撮像画像と遠景撮像画像との間の切り替わりを検出し、
検出された前記切り替わりに基づいて、前記スポーツの試合のプレーの切れ目に対応するタイミングまたは切れ目に対応する撮像画像を抽出する、
ことを含む処理を実行させる抽出方法。
【請求項５】
スポーツの試合を撮像して得られた撮像画像から、近景撮像画像と遠景撮像画像との間の切り替わりを検出する検出部と、
検出された前記切り替わりに基づいて、前記スポーツの試合のプレーの切れ目に対応するタイミングまたは切れ目に対応する撮像画像を抽出する抽出部と、
を含む抽出装置。
【発明の詳細な説明】
【技術分野】
【０００１】
本発明は、抽出プログラム、抽出方法、及び抽出装置に関する。
【背景技術】
【０００２】
従来、サッカーの試合を撮影した映像を、ライブ配信したり、ビデオ・オン・デマンド（Video on Demand、ＶｏＤ）コンテンツとして配信したりするサービスが存在する。このようなサービスにおいて、映像から、特定のシーンを抽出したい場合がある。
【０００３】
例えば、映像に対応する音声データにおいて、音圧の急激な上昇が検知された場合に、盛り上がりシーンであると認識することが行われている。
【０００４】
また、フレームシーケンスを含むビデオにおけるハイライトセグメントを識別する方法が提案されている。
【先行技術文献】
【特許文献】
【０００５】
【特許文献１】特表２００８−５１１１８６号公報
【発明の概要】
【発明が解決しようとする課題】
【０００６】
上述のようなシーンの抽出において、例えば、プレーの切れ目を抽出したい場合がある。
【０００７】
しかしながら、従来技術では、プレーの切れ目の抽出に対応することが困難である。
【０００８】
一つの側面として、本発明は、サッカーの試合を撮影した映像から、プレーの切れ目を抽出することを目的とする。
【課題を解決するための手段】
【０００９】
一つの態様では、スポーツの試合を撮像して得られた撮像画像から、近景撮像画像と遠景撮像画像との間の切り替わりを検出する。そして、検出された前記切り替わりに基づいて、前記スポーツの試合のプレーの切れ目に対応するタイミングまたは切れ目に対応する撮像画像を抽出する。
【発明の効果】
【００１０】
一つの側面として、サッカーの試合を撮影した映像から、プレーの切れ目を抽出することができる、という効果を有する。
【図面の簡単な説明】
【００１１】
【図１】本実施形態に係る映像配信システムの概略構成を示す機能ブロック図である。
【図２】編集の一例を説明するための図である。
【図３】フレーム間の差分を説明するための図である。
【図４】遠景フレームの一例を示す図である。
【図５】近景フレームの一例を示す図である。
【図６】ワンプレーの開始及び終了を示すフレームの抽出を説明するための図である。
【図７】メタ情報ファイルの一例を示す図である。
【図８】抽出装置として機能するコンピュータの一例を示す概略ブロック図である。
【図９】配信装置として機能するコンピュータの一例を示す概略ブロック図である。
【図１０】編集処理の一例を示すフローチャートである。
【図１１】抽出処理の一例を示すフローチャートである。
【図１２】配信処理の一例を示すフローチャートである。
【発明を実施するための形態】
【００１２】
以下、図面を参照して本発明に係る実施形態の一例を詳細に説明する。以下の各実施形態では、サッカーの試合を撮影した映像を配信する映像配信システムに、本発明の抽出装置を適用した例について説明する。
【００１３】
図１に示すように、本実施形態に係る映像配信システム１０は、抽出装置２０と、配信装置３０とを含む。抽出装置２０と、配信装置３０とは、ネットワークを介して接続されている。映像配信システム１０では、抽出装置２０により抽出された盛り上がりシーンを示すメタ情報が付加された映像を、配信装置３０により、ネットワークを介して、所定の端末に配信する。抽出装置２０は、検出部２２と、抽出部２４と、作成部２６とを含む。また、配信装置３０は、編集部３２と、配信部３４とを含む。
【００１４】
まず、配信装置３０の各部について詳述する。
【００１５】
編集部３２は、サッカーの試合を撮影した映像（以下、「撮影映像」という）を取得する。なお、本実施形態において、映像は、動画データ及び音声データを含むメディアである。撮影映像に含まれる動画データは、例えば３０ｆｐｓや６０ｆｐｓ等のフレームレートで撮影されており、複数のフレームを含む。各フレームには、撮影映像の撮影開始からの経過時間で表される時刻情報が対応付けられている。また、撮影映像には、試合会場における歓声等の音声や、解説者や実況等の音声を含む音声データも含まれる。音声データは、サンプリング点毎の音圧のレベルを示す時系列データであり、各サンプリング点には、音声データと動画データとが同期するように、動画データの各フレームに対応付けられた時刻情報と同期する時刻情報が対応付けられている。
【００１６】
編集部３２は、図示しない表示装置及び入力装置を用いてオペレータの操作により指示された編集内容を、画像処理により撮影映像に含まれる動画データの各フレームに適用する。編集内容としては、例えば図２に示すように、試合状況を示すテロップ８０を付加することを含む。以下では、撮影映像に含まれる動画データに対して編集部３２による編集が行われた映像を「編集済み映像」という。編集部３２は、編集済み映像を、抽出装置２０へ送信する。
【００１７】
配信部３４は、抽出装置２０により作成されたメタ情報が付加された映像（以下、「メタ情報付き映像」という。詳細は後述）を取得する。配信部３４は、メタ情報付き映像を所定の規格に従った配信用映像に変換して、配信先の端末（図示省略）に配信する。
【００１８】
次に、抽出装置２０の各部について詳述する。
【００１９】
検出部２２は、配信装置３０から送信された編集済み映像を取得する。検出部２２は、編集済み映像に含まれる動画データに基づいて、まず、カットの切り替わりを検出する。カットとは、動画データにおいて、同一のアングルで撮影された一連の部分である。具体的には、検出部２２は、フレーム毎に、前フレームとの差分を算出する。フレーム間の差分は、例えば、フレーム間で対応する画素同士の画素情報の差の和により算出する。検出部２２は、図３に示すように、フレーム毎に算出した前フレームとの差分を監視し、前フレームとの差分が所定の閾値を超えたフレームを、カットの切り替わりを示すフレームとして検出する。
【００２０】
図３の例では、連続するフレーム８２、８４、８６、８８において、フレーム８４とその前フレーム８２との差分、フレーム８６とその前フレーム８４との差分は、比較的小さな値である。一方、フレーム８８とその前フレーム８６との差分は大きな値となる。また、フレーム８６とフレーム８８との間では、カットが切り替わっている。従って、図３の例では、フレーム８８とその前フレーム８６との差分に基づき、フレーム８６とフレーム８８との間がカットの切り替わり、すなわち、フレーム８６を前のカットの最終フレーム、フレーム８８を次のカットの先頭フレームとして検出することができる。
【００２１】
また、検出部２２は、検出したカットの先頭フレームから最終フレームまでに含まれるフレーム群を、１つのカットを示すフレーム群とする。そして、検出部２２は、１つのカットを示すフレーム群に含まれる少なくとも１つのフレームが、遠景撮影されたフレーム（以下、「遠景フレーム」という）か、近景撮影されたフレーム（以下、「近景フレーム」という）かを判定する。なお、遠景フレーム及び近景フレームは、本発明の遠景撮像画像及び近景撮像画像の一例である。この判定は、例えば、遠景フレームか近景フレームかを識別するための識別モデルを用いて行うことができる。識別モデルは、例えば図４に示すような複数の遠景フレーム、及び図５に示すような複数の近景フレームを学習することにより、生成することができる。この判定結果により、検出部２２は、遠景フレームと近景フレームとの切り替わりを検出する。
【００２２】
抽出部２４は、検出部２２により検出された遠景フレームと近景フレームとの切り替わりに基づいて、プレーの切れ目を抽出する。サッカーの試合映像では、通常、プレー中は遠景で撮影されており、ワンプレーの切れ目毎に、選手のアップやベンチの様子などの近景で撮影されたカットに切り替わる。従って、遠景フレームと近景フレームとの切り替わり箇所が、ワンプレーの開始または終わりとなる。なお、ワンプレーとは、ファウルやラインアウト等により一旦ボール止まっていたボールが、フリーキックやスローイン等により動き出してから再び止まるまでの一連の流れをいう。なお、ボールが動き出す、及び止まるとは、厳密なボールの動きではなく、プレーの再開時または中断時のボールの動きを意味するものである。
【００２３】
具体的には、抽出部２４は、図６に示すように、近景フレームから遠景フレームへの切り替わりにおける遠景フレーム（例えば、図６中のフレーム９４）を、ワンプレーの開始を示すフレームとして抽出する。また、遠景フレームから近景フレームへの切り替わりにおける遠景フレーム（例えば、図６中のフレーム９０）を、ワンプレーの終了を示すフレームとして抽出する。すなわち、ワンプレーの開始を示すフレームから、ワンプレーの終了を示すフレームまでのフレーム群を、ワンプレーを示すフレーム群として抽出することができる。
【００２４】
作成部２６は、抽出部２４により抽出されたフレーム群に基づいて、ワンプレーの切れ目を示すメタ情報を作成する。具体的には、作成部２６は、ワンプレーの開始を示すフレームに対応付けられた時刻情報に、ワンプレーの開始であることを示す情報を対応付けたメタ情報を作成する。また、作成部２６は、ワンプレーの終了を示すフレームに対応付けられた時刻情報に、ワンプレーの終了であることを示す情報を対応付けたメタ情報を作成する。
【００２５】
また、作成部２６は、作成した複数のメタ情報を、メタ情報に含まれる時刻情報順に記録したメタ情報ファイルを作成する。メタ情報ファイルは、例えばｃｓｖ（Comma-Separated Values）形式のファイルとして作成することができる。図７に、メタ情報ファイルの一例を示す。図７の例では、各行が１つのメタ情報を示し、各メタ情報は、時刻情報９６、及びワンプレーの開始または終了を示す情報（記号９８）を含む。
【００２６】
なお、ここでは、フレームに対応付けられた時刻情報を用いたメタ情報を作成する場合について説明したが、フレーム番号等の各フレームを識別するための他の情報を用いて、メタ情報を作成してもよい。
【００２７】
作成部２６は、作成したメタ情報ファイルを編集済み映像に付加して、メタ情報付き映像として配信装置３０へ送信する。
【００２８】
抽出装置２０は、例えば図８に示すコンピュータ４０で実現することができる。コンピュータ４０はＣＰＵ４２、メモリ４４、不揮発性の記憶部４６、入出力インターフェース（Ｉ／Ｆ）４７、及びネットワークＩ／Ｆ４８を備えている。ＣＰＵ４２、メモリ４４、記憶部４６、入出力Ｉ／Ｆ４７、及びネットワークＩ／Ｆ４８は、バス４９を介して互いに接続されている。
【００２９】
記憶部４６はＨＤＤ（Hard Disk Drive）やフラッシュメモリ等によって実現できる。記憶媒体としての記憶部４６には、コンピュータ４０を抽出装置２０として機能させるための抽出プログラム５０が記憶されている。ＣＰＵ４２は、抽出プログラム５０を記憶部４６から読み出してメモリ４４に展開し、抽出プログラム５０が有するプロセスを順次実行する。
【００３０】
抽出プログラム５０は、検出プロセス５２と、抽出プロセス５４と、作成プロセス５６とを有する。ＣＰＵ４２は、検出プロセス５２を実行することで、図１に示す検出部２２として動作する。また、ＣＰＵ４２は、抽出プロセス５４を実行することで、図１に示す抽出部２４として動作する。また、ＣＰＵ４２は、作成プロセス５６を実行することで、図１に示す作成部２６として動作する。これにより、抽出プログラム５０を実行したコンピュータ４０が、抽出装置２０として機能することになる。
【００３１】
また、配信装置３０は、例えば図９に示すコンピュータ６０で実現することができる。コンピュータ６０はＣＰＵ６２、メモリ６４、不揮発性の記憶部６６、入出力Ｉ／Ｆ６７、及びネットワークＩ／Ｆ６８を備えている。ＣＰＵ６２、メモリ６４、記憶部６６、入出力Ｉ／Ｆ６７、及びネットワークＩ／Ｆ６８は、バス６９を介して互いに接続されている。また、コンピュータ６０には、入出力Ｉ／Ｆ６７を介して、図示しない表示装置及び入力装置が接続されている。
【００３２】
また、配信装置３０と抽出装置２０とは、配信装置３０のネットワークＩ／Ｆ６８、ネットワーク、及び抽出装置２０のネットワークＩ／Ｆ４８を介して接続されている。
【００３３】
記憶部６６はＨＤＤやフラッシュメモリ等によって実現できる。記憶媒体としての記憶部６６には、コンピュータ６０を配信装置３０として機能させるための配信プログラム７０が記憶されている。ＣＰＵ６２は、配信プログラム７０を記憶部６６から読み出してメモリ６４に展開し、配信プログラム７０が有するプロセスを順次実行する。
【００３４】
配信プログラム７０は、編集プロセス７２と、配信プロセス７４とを有する。ＣＰＵ６２は、編集プロセス７２を実行することで、図１に示す編集部３２として動作する。また、ＣＰＵ６２は、配信プロセス７４を実行することで、図１に示す配信部３４として動作する。これにより、配信プログラム７０を実行したコンピュータ６０が、配信装置３０として機能することになる。
【００３５】
なお、抽出装置２０及び配信装置３０の各々は、例えば半導体集積回路、より詳しくはＡＳＩＣ（Application Specific Integrated Circuit）等で実現することも可能である。
【００３６】
次に、本実施形態に係る映像配信システム１０の作用について説明する。撮影映像が配信装置３０に入力されると、配信装置３０が、図１０に示す編集処理を実行し、編集済み映像を出力する。次に、編集済み映像が抽出装置２０に入力されると、抽出装置２０が、図１１に示す抽出処理を実行して、メタ情報付き映像を出力する。そして、メタ情報付き映像が配信装置３０に入力されると、配信装置３０が、図１２に示す配信処理を実行し、配信用映像を出力する。以下、各処理について詳述する。
【００３７】
まず、図１０に示す編集処理のステップＳ１０で、編集部３２が、撮影映像を取得する。次に、ステップＳ１２で、編集部３２が、図示しない表示装置及び入力装置を用いてオペレータの操作により指示された編集内容を、画像処理により撮影映像に含まれる動画データの各フレームに適用する。次に、ステップＳ１４で、編集部３２が、編集済み映像を、抽出装置２０へ送信して、編集処理は終了する。
【００３８】
次に、図１１に示す抽出処理のステップＳ２０で、検出部２２が、配信装置３０から送信された編集済み映像を取得する。
【００３９】
次に、ステップＳ２２で、検出部２２が、フレーム毎に、前フレームとの差分を算出し、前フレームとの差分が所定の閾値を超えたフレームに基づいて、カットの先頭フレーム及び最終フレームを検出する。
【００４０】
次に、ステップＳ２４で、検出部２２が、検出したカットの先頭フレームから最終フレームまでに含まれるフレーム群を、１つのカットを示すフレーム群とする。そして、検出部２２は、１つのカットを示すフレーム群に含まれる少なくとも１つのフレームが、遠景フレームか、近景フレームかを判定する。この判定結果により、検出部２２は、遠景フレームと近景フレームとの切り替わりを検出する。
【００４１】
次に、ステップＳ２６で、抽出部２４が、近景フレームから遠景フレームへの切り替わりにおける遠景フレームを、ワンプレーの開始を示すフレームとして抽出する。また、抽出部２４が、遠景フレームから近景フレームへの切り替わりにおける遠景フレームを、ワンプレーの終了を示すフレームとして抽出する。すなわち、抽出部２４は、ワンプレーの開始を示すフレームから、ワンプレーの終了を示すフレームまでのフレーム群を、ワンプレーを示すフレーム群として抽出する。
【００４２】
次に、ステップＳ２８で、作成部２６が、ワンプレーの開始を示すフレームに対応付けられた時刻情報に、ワンプレーの開始であることを示す情報を対応付けたメタ情報を作成する。また、作成部２６は、ワンプレーの終了を示すフレームに対応付けられた時刻情報に、ワンプレーの終了であることを示す情報を対応付けたメタ情報を作成する。
【００４３】
次に、ステップＳ３０で、作成部２６が、上記ステップＳ２８で作成した複数のメタ情報を、メタ情報に含まれる時刻情報順に記録したメタ情報ファイルを作成する。そして、作成部２６は、作成したメタ情報ファイルを編集済み映像に付加して、メタ情報付き映像として配信装置３０へ送信し、抽出処理は終了する。
【００４４】
次に、図１２に示す配信処理のステップＳ４０で、配信部３４が、抽出装置２０から送信されたメタ情報付き映像を取得する。次に、ステップＳ４２で、配信部３４が、メタ情報付き映像を所定の規格に従った配信用映像に変換して、配信先の端末（図示省略）に配信し、配信処理は終了する。
【００４５】
以上説明したように、本実施形態に係る抽出装置２０によれば、サッカーの試合を撮影した映像に含まれる動画データのフレームから、遠景フレームと近景フレームとの切り替わりを検出し、この切り替わりをプレーの切れ目として抽出する。このように、サッカーの試合を撮影した映像から、プレーの切れ目を抽出することができる。
【００４６】
上記各実施形態において抽出されたワンプレーの開始及び終了を示すメタ情報が付加されたメタ情報付き映像を用いれば、スポーツの試合映像（撮影映像、または編集済み映像）から、メタ情報に基づいて、ワンプレー毎のシーンを容易に探索することができる。また、例えば、映像配信の際に、プレーの切れ目に連動して、ユーザにメールを送信するなどの付帯サービスを、メタ情報に基づいて自動的に行うことができる。
【００４７】
また、上記各実施形態では、配信装置と抽出装置とを含む映像配信システムを例に説明したが、これに限定されない。配信装置の各機能部と抽出装置の各機能部とを、１つのコンピュータで実現するようにしてもよい。
【００４８】
また、上記各実施形態では、抽出装置で作成されワンプレーの開始及び終了を示すメタ情報が付加された映像を、配信装置により配信する場合について説明したが、これに限定されない。例えば、メタ情報付き映像を大量にアーカイブとして保存しておき、メタ情報に基づいて、ワンプレー毎にシーンを抽出して出力するようにしてもよい。
【００４９】
また、抽出装置からの出力を、映像配信システム以外の用途で利用してもよい。
【００５０】
また、上記では、抽出プログラム５０が記憶部４６に、配信プログラム７０が記憶部６６に予め記憶（インストール）されている態様を説明したが、ＣＤ−ＲＯＭやＤＶＤ−ＲＯＭ等の記憶媒体に記録された形態で提供することも可能である。
【００５１】
以上の上記各実施形態に関し、更に以下の付記を開示する。
【００５２】
（付記１）
コンピュータに、
スポーツの試合を撮像して得られた撮像画像から、近景撮像画像と遠景撮像画像との間の切り替わりを検出し、
検出された前記切り替わりに基づいて、前記スポーツの試合のプレーの切れ目に対応するタイミングまたは切れ目に対応する撮像画像を抽出する、
ことを含む処理を実行させる抽出プログラム。
【００５３】
（付記２）
前記コンピュータに、
前記近景撮像画像から、前記遠景撮像画像への切り替わりを検出し、
切り替わりが検出された前記遠景撮像画像を、前記スポーツの試合におけるプレーの始まりを示すフレームとして抽出する
ことを含む処理を実行させる付記１記載の抽出プログラム。
【００５４】
（付記３）
前記コンピュータに、
前記撮像画像に含まれる複数のフレームにおける連続するフレーム間の画素情報の差分の変化量が、予め定めた閾値以上となるフレームを、カットの切り替わりとして検出し、カットの切り替わりの前または後のフレームが近景撮像画像か、または遠景撮像画像かを識別することにより、近景撮像画像と遠景撮像画像との切り替わりを検出する
ことを含む処理を実行させる付記１または付記２記載の抽出プログラム。
【００５５】
（付記４）
前記コンピュータに、
抽出された撮像画像に対応したフレームに、プレーの切れ目を示す情報を対応付けたメタ情報を作成する
ことを含む処理を実行させる付記１〜付記３のいずれか１項記載の抽出プログラム。
【００５６】
（付記５）
コンピュータに、
スポーツの試合を撮像して得られた撮像画像から、近景撮像画像と遠景撮像画像との間の切り替わりを検出し、
検出された前記切り替わりに基づいて、前記スポーツの試合のプレーの切れ目に対応するタイミングまたは切れ目に対応する撮像画像を抽出する、
ことを含む処理を実行させる抽出方法。
【００５７】
（付記６）
前記コンピュータに、
前記近景撮像画像から、前記遠景撮像画像への切り替わりを検出し、
切り替わりが検出された前記遠景撮像画像を、前記スポーツの試合におけるプレーの始まりを示すフレームとして抽出する
ことを含む処理を実行させる付記５記載の抽出方法。
【００５８】
（付記７）
前記コンピュータに、
前記撮像画像に含まれる複数のフレームにおける連続するフレーム間の画素情報の差分の変化量が、予め定めた閾値以上となるフレームを、カットの切り替わりとして検出し、カットの切り替わりの前または後のフレームが近景撮像画像か、または遠景撮像画像かを識別することにより、近景撮像画像と遠景撮像画像との切り替わりを検出する
ことを含む処理を実行させる付記６または付記７記載の抽出方法。
【００５９】
（付記８）
スポーツの試合を撮像して得られた撮像画像から、近景撮像画像と遠景撮像画像との間の切り替わりを検出する検出部と、
検出された前記切り替わりに基づいて、前記スポーツの試合のプレーの切れ目に対応するタイミングまたは切れ目に対応する撮像画像を抽出する抽出部と、
を含む抽出装置。
【００６０】
（付記９）
前記検出部は、前記近景撮像画像から、前記遠景撮像画像への切り替わりを検出し、
前記抽出部は、切り替わりが検出された前記遠景撮像画像を、前記スポーツの試合におけるプレーの始まりを示すフレームとして抽出する
付記８記載の抽出装置。
【００６１】
（付記１０）
前記検出部は、前記撮像画像に含まれる複数のフレームにおける連続するフレーム間の画素情報の差分の変化量が、予め定めた閾値以上となるフレームを、カットの切り替わりとして検出し、カットの切り替わりの前または後のフレームが近景撮像画像か、または遠景撮像画像かを識別することにより、近景撮像画像と遠景撮像画像との切り替わりを検出する付記８または付記９記載の抽出装置。
【符号の説明】
【００６２】
１０   映像配信システム
２０   抽出装置
２２   検出部
２４   抽出部
２６   作成部
３０   配信装置
３２   編集部
３４   配信部
４０、６０    コンピュータ
４２、６２    ＣＰＵ
４４、６４    メモリ
４６、６６    記憶部
５０   抽出プログラム
７０   配信プログラム
【図１】
2015177471.tif 000003
【図２】
2015177471.tif 000004
【図３】
2015177471.tif 000005
【図４】
2015177471.tif 000006
【図５】
2015177471.tif 000007
【図６】
2015177471.tif 000008
【図７】
2015177471.tif 000009
【図８】
2015177471.tif 000010
【図９】
2015177471.tif 000011
【図１０】
2015177471.tif 000012
【図１１】
2015177471.tif 000013
【図１２】
2015177471.tif 000014